(57)【要約】【課題】洗浄槽内の空いている空間を有効活用できる食器かごを有し、より多くの食器類を収容可能とすると同時に、より使い勝手の良い食器洗い機を提供することを目的としている。【解決手段】食器洗い機本体１６内に食器類９を収容する食器かご１９を備え、前記食器かご１９はかご本体２０と食器棚２２とを備え、この食器棚２２は、軸支部２２ａで前記食器かご１９に軸支して回動可能とするとともに、前記かご本体２０に平行に移動することで、前記かご本体２０に設けた係止部に支えられて係止する構成とした。【選択図】図１
2005342296.tif 000002
【特許請求の範囲】
【請求項１】
食器洗い機本体内に食器類を収容する食器かごを備え、この食器かごは食器を収納する食器棚を備え、この食器棚は軸支部で前記食器かごに軸支して回動可能とするとともに、前記食器かごに前記食器棚を回動途中に係止する係止部を設け、前記食器棚は前記食器かごに平行に移動することで、前記食器かごに設けた係止部に支えられて係止する構成とした食器洗い機。
【請求項２】
食器棚は、軸支部で食器かごに対し平行に移動可能に構成した請求項１記載の食器洗い機。
【請求項３】
食器棚は、軸支部で食器かごに対して着脱可能とした請求項１または２記載の食器洗い機。
【請求項４】
食器棚は、食器洗い機本体の前後方向で上下に回動可能かつ左右方向に平行移動可能とした請求項１から３のいずれか１項記載の食器洗い機。
【請求項５】
食器洗い機本体内に食器類を収容する食器かごを備え、この食器かごは食器を収納する食器棚を備え、この食器棚は軸支部で前記食器かごに軸支して回動可能とするとともに、前記食器棚には突起部とこの突起部に対向する壁部とを設け、この食器棚の突起部と壁部とで前記食器かごの部材を挟み込んで前記食器棚を回動途中で係止可能な構成とした食器洗い機。
【請求項６】
食器棚は、食器洗い機本体の左右方向で上下に回動可能とした請求項５記載の食器洗い機。
【請求項７】
軸支部は、食器棚と樹脂で一体に形成した請求項１から６のいずれか１項記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は図７に示すように構成していた。以下、その構成について説明する。図７に示すように、食器洗い機本体１は、内部に洗浄槽２を設けており、この洗浄槽２内へ給水弁３により水または湯を供給するようにしている。洗浄槽２の底部には排水孔４を設け、この排水孔４の他側部に連通したポンプ室にモータ５によって駆動される洗浄ポンプ６を取り付け、この洗浄ポンプ６により洗浄水を洗浄槽２の内部に循環するよう構成している。すなわち、この循環は、洗浄水が排水孔４から洗浄ポンプ６に吸いこまれ、洗浄ポンプ６より洗浄槽２の内底部に設けた洗浄ノズル７に供給され、この洗浄ノズル７から噴射され、食器を洗浄した後、再び排水孔４に戻るという経路で行われる。
【０００３】
洗浄ノズル７と洗浄槽２の底部との間には、洗浄水加熱用のヒータ８を装備している。また、洗浄ノズル７の上方には、食器類９を整然と配置でき、洗浄水を効果的に食器類９に噴射するように構成した食器かご１０を設置して効率的に洗浄を行っている。食器かご１０には複数の移動用ローラ１１を配設して、移動可能にしている。
【０００４】
また、洗浄槽２は前方に開口しており、その前面部には、枢支軸１２まわりに前方に開閉自在とした蓋１３を取り付けている。食器かご１０は移動用ローラ１１により開放した蓋１３の上部を食器洗い機本体１の前面外部へ引き出し可能になっている。排水ポンプ１４は、排水ホース１５を通して洗浄水を機外に排出するものである。また、食器かご１０には上棚１６が一体的に設けてあり、一度に洗浄可能な食器点数を増やすのに寄与している（例えば、特許文献１参照）。
【特許文献１】特開２００３−５１９号公報
【発明の開示】
【発明が解決しようとする課題】
【０００５】
日本の狭い台所において食器洗い機は、食器洗い機本体１の外形寸法を変えずに食器かご１０に収容する食器類９の数を増すためには、洗浄槽２内の空いている空間にいかに食器類９を入れつつ、増えた食器類９をいかに容易に食器かごに載置できるようにして、食器かごの使い勝手を向上させるかが課題であった。しかしながら、従来の食器洗い機では、多様な食器及びいろいろな寸法の食器に対応することが困難であった。
【０００６】
本発明は上記従来の課題を解決するもので、洗浄槽内の空いている空間を有効活用できる食器かごを有し、より多くの食器類を収容可能とすると同時に、より使い勝手の良い食器洗い機を提供することを目的としている。
【課題を解決するための手段】
【０００７】
本発明は上記目的を達成するために、食器洗い機本体内に食器類を収容する食器かごを備え、この食器かごは食器を収納する食器棚を備え、この食器棚は軸支部で前記食器かごに軸支して回動可能とするとともに、前記食器かごに前記食器棚を回動途中に係止する係止部を設け、前記食器棚は前記食器かごに平行に移動することで、前記食器かごに設けた係止部に支えられて係止する構成としたものである。これにより、多様な食器及びいろいろな寸法の食器に対応することが可能となる。
【発明の効果】
【０００８】
本発明の食器洗い機は、食器棚を食器かごに対し回動可能もしくは平行移動可能とし、そして係止可能とすることで簡単に食器棚の食器かごに対する高さ位置を変えることが可能であり、さらに食器棚を着脱式にすることで食器棚の制約を排除でき、より大きな食器を食器かごに収納することが可能となる。
【発明を実施するための最良の形態】
【０００９】
第１の発明は、食器洗い機本体内に食器類を収容する食器かごを備え、この食器かごは食器を収納する食器棚を備え、この食器棚は軸支部で前記食器かごに軸支して回動可能とするとともに、前記食器かごに前記食器棚を回動途中に係止する係止部を設け、前記食器棚は前記食器かごに平行に移動することで、前記食器かごに設けた係止部に支えられて係止する構成としたものである。これにより、多様な食器及びいろいろな寸法の食器に対応することが可能となる。
【００１０】
第２の発明は、食器洗い機本体内に食器類を収容する食器かごを備え、この食器かごは食器を収納する食器棚を備え、この食器棚は軸支部で前記食器かごに軸支して回動可能とするとともに、前記食器棚には突起部とこの突起部に対向する壁部とを設け、この食器棚の突起部と壁部とで前記食器かごの部材を挟み込んで前記食器棚を回動途中で係止可能な構成としたものである。これにより、食器かごに係止部を構成する必要なく、簡単に食器棚を係止することが可能となる。
【００１１】
以下、本発明の実施の形態について、図面を参照しながら説明する。なお、この実施の形態によって本発明が限定されるものではない。
【００１２】
（実施の形態１）
図１から図４に示すように、食器洗い機本体１６の内部に設けた洗浄槽１７は、前方に開口部を有し、この開口部を扉１８により開閉するとともに、内部に食器類９を収容する食器かご１９を配置している。食器かご１９はかご本体２０と上棚２１で構成されており、扉１８を開くと、開口部よりそれぞれ別々に外部へ引き出して食器類の出し入れができるように構成されている。
【００１３】
かご本体２０の後部、すなわち食器かご１９を洗浄槽７にセットした状態で洗浄槽７の最奥部に位置する位置には、中段の食器棚２２を設けて、上棚２１との空間を有効に利用できるようにしている。食器棚２２はかご本体２０に対して軸支部２２ａで軸支してそのまわりに回動可能としている。したがって、食器棚２２は、食器洗い機本体１６の前後方向で上下に回動可能となっている。
【００１４】
かご本体２０は、ステンレスの線材を組合せ、要所を溶接することにより形成されている。そして、食器棚２２は、軸支部２２ａも含めて全体をポリプロピレン等の樹脂で一体成型して形成しており、回動および平行移動に際し、かご本体２０の軸部２０ａと食器棚２２の軸支部２２ａとの間の回動および摺動がスムーズかつ静粛になるようにしている。
【００１５】
また、かご本体２０には、この食器棚２２を回動途中に係止する係止部２０ｂを設け、食器棚２２は、上方へ回動させた後、かご本体２０の軸２０ａに対して平行に、すなわち食器洗い機本体１６の左右方向に移動し、その後下方へ回動することで、かご本体２０に設けた係止部２０ｂに支えられて係止する構成としている。
【００１６】
また、食器棚２２のかご本体２０に対する軸支部は食器棚２２を奥方向に押すと食器棚２２の爪部２２ｂがかご本体２０の軸部２０ａから外れる構成としている。
【００１７】
上記構成において動作、作用を説明する。食器かご１９に食器類９を配置して洗浄槽１７内に収容し、運転を開始すると、給水弁（図示せず）が開き、洗浄槽１７内に所定量給水された後、洗浄ポンプ６を駆動する。これにより洗浄ポンプ６で加圧された洗浄水が、洗浄ノズル７から食器かご１９内の食器類９に向けて噴射され、食器類９に付着した汚れを洗浄する。
【００１８】
このとき、使用者が食器かご１９のうち、かご本体２０に食器９を配置する際、大きな食器９を配置するときには、図３に矢印Ａで示す方向に食器棚２２を上方に跳ね上げた後、矢印Ｂに示すように、かご本体２０の軸２０ａに平行に移動して、その後矢印Ａとは逆の方向に下方に回動して、かご本体２０の係止部２０ｂに係止して大きな食器類を配置する空間を確保することができる。
【００１９】
さらに大きな食器を配置するときには、食器棚２２が着脱式になっていることで、食器棚２２をかご本体２０より取り外して、かご本体２０と上棚２１との空間に食器を配置することができる。
【００２０】
本実施の形態における食器棚２２は、樹脂製としたので軽量化を図ることができるとともに、かご本体２０に対しての着脱力を容易に調整でき、より使い勝手の良い食器洗い機とすることができる。
【００２１】
以上のように、本実施の形態においては、食器洗い機本体内に食器類を収容する食器かごを備え、この食器かごは食器を収納する食器棚を備え、この食器棚は軸支部で前記食器かごに軸支して回動可能とするとともに、前記食器かごに前記食器棚を回動途中に係止する係止部を設け、前記食器棚は前記食器かごに平行に移動することで、前記食器かごに設けた係止部に支えられて係止する構成としたもので、これにより、多様な食器及びいろいろな寸法の食器に対応することが可能となり、使い勝手の良い食器洗い機を実現できる。
【００２２】
（実施の形態２）
図５に示すように、上棚２１の樹脂製の食器棚２３は、その側面に設けた軸支部２６において上棚２１の金属性の枠体２４の側面に設けた支軸２５に軸支され、回動可能としている。支軸２５における金属性の枠体２４の支軸２５と食器棚２３の軸支部２６との嵌合は甘くしてあり、支軸２５まわりに回動自在としている。このように構成することによって、食器棚２３は、食器洗い機本体の左右方向で上下に回動可能としている。
【００２３】
図６に示すように、食器棚２３の軸支部２６の設けられた側面と直交する側面、本実施の形態では食器洗い機本体の前面に位置することになる側面には、半球状の突起部２７を設け、この突起部２７に合い対向して壁部２８を設けている。この突起部２７と壁部２８とで、金属製の枠体２４を挟み込む構成としている。この枠体２４の断面形状は円形状であり、突起部２７が枠体２４の上に係合することで、食器棚２３の回動を容易に係止することができる。このとき、食器棚２３に突起部２７と壁部２８とを設けるだけで、安価に確実に静止できる。
【００２４】
なお、この食器棚２３は、軸支部２６、突起部２７および壁部２８も含めて全体をポリプロピレン等の樹脂で一体成型して形成しており、回動および平行移動に際し、上棚２１の枠体２４と食器棚２３の軸支部２６との間の回動および摺動がスムーズかつ静粛になるようにしている。
【００２５】
使用者が食器かご本体２０に大皿のような背の高い食器類９を載置する際に、軸支部２６が回動可能であるともに、回動途中で静止可能であるので、使用者が軸支部２６を支えながら大皿等の食器類９を載置するといった煩わしさをともなうことのない、使い勝手の良い食器洗い機を実現できる。
【産業上の利用可能性】
【００２６】
以上のように、本発明にかかる食器洗い機は、食器洗い機本体内に食器類を収容する食器かごを備え、この食器かごは食器を収納する食器棚を備え、この食器棚は軸支部で前記食器かごに軸支して回動可能とするとともに、前記食器かごに前記食器棚を回動途中に係止する係止部を設け、前記食器棚は前記食器かごに平行に移動することで、前記食器かごに設けた係止部に支えられて係止する構成としたことにより、多様な食器及びいろいろな寸法の食器に対応することが可能となるので、食器類の洗浄を行う食器洗い機等として有用である。
【図面の簡単な説明】
【００２７】
【図１】本発明の実施の形態１の食器洗い機の縦断面図
【図２】同食器洗い機の食器かごと食器棚を示す斜視図
【図３】同食器洗い機の食器棚の動作を示す要部拡大斜視図
【図４】同食器洗い機の食器棚の爪部を示す要部拡大斜視図
【図５】本発明の実施の形態２の食器洗い機の食器かごと食器棚の斜視図
【図６】同食器洗い機の食器棚と枠体との係合状態を示す要部断面図
【図７】従来の食器洗い機の断面図
【符号の説明】
【００２８】
１７  洗浄槽
１９  食器かご
２０  かご本体
２１  上棚
２２、２３  食器棚
【図１】
2005342296.tif 000003
【図２】
2005342296.tif 000004
【図３】
2005342296.tif 000005
【図４】
2005342296.tif 000006
【図５】
2005342296.tif 000007
【図６】
2005342296.tif 000008
【図７】
2005342296.tif 000009